(57)【要約】【課題】電灯の反射光による注意喚起ではなく、同じ電灯を用いながら彩色鮮やかなホログラム反射光による注意喚起を促す回転灯を提供する。【解決手段】ランプ１と、ランプの直近で回転可能な反射板２と、反射板を回転させるためのモータ３及びその駆動部６と、反射板からの反射光を受けて透光させるランプカバー８２とを備えて、反射板２はその内面又は外面にホログラムフィルムが付着されてホログラム反射面１０ｒを構成する。または反射板を用いずにランプカバー８２ｃが回転するようにしてそのランプカバー８２ｃの内面一部に反射面１０ｃを構成する。【選択図】図２
2006156026.tif 000002
【特許請求の範囲】
【請求項１】
ランプと、ランプの直近で回転可能な反射板と、反射板を回転させるためのモータ及びその駆動部と、反射板からの反射光を受けて透光させるランプカバーとを備えており、反射板はその内面にホログラム反射面を構成していることを特徴とする、回転灯。
【請求項２】
ランプと、ランプを中心に回転可能で透光性のランプカバーと、ランプカバーを回転させるためのモータ及びその駆動部とを備えており、ランプカバーはその内面の一部にホログラム反射面を構成していることを特徴とする、回転灯。
【発明の詳細な説明】
【技術分野】
【０００１】
本発明は、回転灯に関し、詳しくは注意喚起などのために緊急車両に取付けられたり、道路、工事現場に設置されたり、いろいろな分野で使用される回転灯に関し、とくにホログラムを利用した回転灯の改良に関する。
【背景技術】
【０００２】
従来より、ランプと、ランプの直近で回転可能な反射板と、反射板を回転させるためのモータ及びその駆動部と、反射板からの反射光を受けて透光させるランプカバーとを備えた回転灯は周知であり、反射板の速度を制御して、状態に応じた注意喚起を促しているものも知られている（例えば特許文献１参照）。
【０００３】
【特許文献１】特開平１１−３４５５０７号公報（図１、図５）
【発明の開示】
【発明が解決しようとする課題】
【０００４】
本発明の課題は、電灯の反射光による注意喚起ではなく、同じ電灯を用いながら彩色鮮やかなホログラム反射光による注意喚起を促す回転灯を提供することである。
【課題を解決するための手段】
【０００５】
前記した課題は、ランプと、ランプの直近で回転可能な反射板と、反射板を回転させるためのモータ及びその駆動部と、反射板からの反射光を受けて透光させるランプカバーとを備えて、反射板をその内面にホログラム反射面により構成することにより、達成される。
【０００６】
同様の課題は、ランプと、ランプを中心に回転可能で透光性のランプカバーと、ランプカバーを回転させるためのモータ及びその駆動部とを備えており、ランプカバーをその内面の一部にホログラム反射面により構成することにより、達成される。
【発明の効果】
【０００７】
電灯色だけでなく、赤、青、緑の彩色鮮やかなホログラム反射光による注意喚起が促され、同時にオーロラのように観賞できる。
【発明を実施するための最良の形態】
【０００８】
電球のランプと、ランプの直近で回転可能な凹面状の反射板と、反射板を回転させるためのモータ及びその駆動部と、反射板からの反射光を受けて透光させる耐熱性のランプカバーとを備えて、反射板をその外面にホログラムフィルムが付着されたホログラム反射面により構成する。
または、電球のランプと、ランプを中心に回転可能で透光性、耐熱性のあるランプカバーと、ランプカバーを回転させるためのモータ及びその駆動部とを備えて、ランプカバーをその外面一部にホログラムフィルムが付着されたホログラム反射面により構成する。
【実施例１】
【０００９】
本発明の好適な実施例は図面に基づいて説明される。
図１、２に示すように、回転灯は、ランプ１と、ランプ１を中心にしてその回りを回転させる反射板２と、反射板２を回転駆動するためのモータ３と、モーター３の駆動回路及びランプ１の点灯回路が形成された回路基板６とを備えている。これらランプ１、反射板２及びモーター３等は、これらの下部を覆うカバー８１と、カバー８１に嵌合し、これらの上部を覆う透光性のカバー８２とによって覆われている。
【００１０】
ランプ１は、ランプホルダー１１に螺合して該ホルダーに支持されている。ホルダー１１は、ベース板４に取り付けられた定位置のメインシャフト５に支持されている。シャフト５には大ギアＧ２が外嵌しており、ギアＧ２はその軸受け５１によってシャフト５の周りを回転することができる。シャフトやギアＧ２の材質によってはこの軸受け５１を省略することもできる。例えばギアＧ２を摺動性のよい合成樹脂製とするときは省略することも可能となる。
【００１１】
反射板２は、ランプ１からの照射光を反射することができ、ランプ１の周囲を一部覆う凹曲面状の凹曲面部分２１と、これに連続する台座部分２２とを有している。台座部分２２は、メインシャフト５に対して回転可能に外嵌するギアＧ２に取り付けられている。台座部分２２の中心部には貫通孔２２１が設けられれており、ランプホルダー１１は孔２２１に嵌まり込むように配置されている。これらにより、ギアＧ２をシャフト５に対して回転させると、反射板２の凹曲面部分２１をランプ１を中心にして回転させることができる。モータ３はベース板４に取り付けられている。モータ３の回転シャフト３１にはピニオンギアＧ１が嵌合している。ギアＧ１は、反射板２と一体的に回転するギアＧ２に噛み合っている。これらにより、モータ３を駆動すると反射板２をランプ１を中心にしてその回りに回転させることができる。
【００１２】
モーター駆動回路及びランプ点灯回路が形成されている回路基板６は、支持部材７によりベース板４に取り付けられている。回路基板６からは、該基板上の回路に電力供給などをするためのハーネス６１が、カバー８１の外部にまで引き出されている。
【００１３】
反射板２は、透明であることが好ましく、その外面にホログラムフィルム又はシートが付着されてホログラム反射面１０ｒを構成する。このようなフィルム又はシートを内面に付着させてもよいが、この場合、ランプの熱を直接受けて早い時機に損傷する恐れがある。
このような構成により、反射板２が回転することにより、ホログラム反射光が反射板２の対向側ランプカバー８２を透光して外部へ３６０度の視野にわたって繰り返し照射していく。なお、ホログラムフィルム又はシートは模様の付いたものが多種市販されており、これらから任意に選択して使用される。
【実施例２】
【００１４】
本実施例は図３，４に示されているように、反射板が用いられず、ランプカバー８２ｃが回転するように、台座部分２２ｃの両端に適当な固着手段により固着される。そのランプカバー８２ｃの内面一部に反射面１０ｃを構成する。ランプカバー８２ｃはその周側部全体が透明体、網状、パンチ孔のあいたものが選ばれ、その外面８２ａ又は内面８２ｂにホログラムフィルム又はシートが付着されてホログラム反射面１０ｃを構成する。ランプカバー８２ｃと下部カバー８１との間に軸受けを介在させてもよい。
【００１５】
このような構成により、ランプカバー８２ｃがその重量によりやや緩慢な回転になるが、これにより、ホログラム反射光が対向側を透光して外部へ３６０度の視野にわたって繰り返し照射していく。なお、ホログラムフィルム又はシートは模様の付いたものが多種市販されており、これらから任意に選択して使用される。
【図面の簡単な説明】
【００１６】
【図１】１実施例を示した部分断面の概略正面図。
【図２】図１の部分断面の概略側面図。
【図３】他の実施例を示した部分断面の概略側面図。
【図４】図３の内部を省略した平面図。
【符号の説明】
【００１７】
１    ランプ                            ２    反射板
３    モータ                            ６    モータ駆動部
２２  台座                              ８２  ランプカバー
１０  ホログラム反射面
【図１】
2006156026.tif 000003
【図２】
2006156026.tif 000004
【図３】
2006156026.tif 000005
【図４】
2006156026.tif 000006